(57)【要約】【課題】構築時の間取りの制約を低減するとともに、構築後の間取りの変更を容易とする木造建物を提供すること。【解決手段】玄関（ＰＯＲＣＨ）及び水廻り（トイレ（Ｗ．Ｃ．）、ユーティリティ（ＵＴＩＬＩＴＹ）、バスルーム（ＢＡＴＨ  ＲＯＯＭ））が順次隣接して一の辺部（１０ａ）に配置され、この一の辺部（１０ａ）に対しその略中央で略垂直に交差する一の軸線（ａ−ａ）上に各階を行き来する階段（Ｋ）が配置された複数階構造の木造建物（１０）である。各階において、前記階段（Ｋ）の周囲のうち、少なくとも前記軸線（ａ−ａ）に沿う方向に配置される耐力壁（ＫＷ）を配置し、耐力壁（ＫＷ）に対しそれぞれ連結した梁材（Ｇ）を軸線（ａ−ａ）に略沿う方向に辺部まで配置する。そして、玄関及び水廻り、ユーティリティ、バスルームを構成する壁（ＭＷ）以外で、耐力壁（ＫＷ）以外の内壁を、全て間仕切壁（ＰＷ）で構成する。【選択図】      図１
2004263510.tif 000002
【特許請求の範囲】
【請求項１】
略四角形状の平面プランを有し、玄関及び水廻りが順次隣接して一の辺部に配置され、この一の辺部に対しその略中央で略垂直に交差する一の軸線上に各階を行き来する階段が配置された複数階構造の木造建物であって、
各階において、前記階段の周囲のうち、少なくとも前記軸線に沿う方向にそれぞれ配置される耐力壁と、
各階において、一端部が前記耐力壁に連結され、他端部が外壁又は前記玄関及び水廻りを構成する壁に連結される状態で前記軸線に略沿う方向にそれぞれ配置される梁材とを備え、
前記玄関及び水廻りを構成する壁以外で、前記耐力壁以外の内壁は、全て間仕切壁で構成されていることを特徴とする木造建物。
【請求項２】
パネル工法によって構築されるものであることを特徴とする請求項１に記載の木造建物。
【請求項３】
前記梁材は、集成材から構成されていることを特徴とする請求項１又は２に記載の木造建物。
【請求項４】
前記梁材は、その側面が互いに隣接する状態で複数配置されていることを特徴とする請求項１〜３のいずれか一項に記載の木造建物。
【請求項５】
前記梁材の前記耐力壁に対する連結は、梁受金物を介してなされていることを特徴とする請求項１〜４のいずれか一項に記載の木造建物。
【発明の詳細な説明】
【０００１】
【発明の属する技術分野】
本発明は、各階を行き来する階段が配置された複数階構造の木造建物に関する。
【０００２】
【背景の技術】
近年、住宅の構築においては、いわゆるプレハブ化が進み、特に最近は洗練された住戸プランが多く生み出され、工期とともにデザイン性も注目されている。プレハブ化は、外壁、内壁、床等がパネル化された外壁パネル、内壁パネル、床パネル等を用いるパネル工法によってなされ、このパネル工法は工期短縮の真髄とも言える。
【０００３】
複数階構造の住宅のパネル工法による構築においては、一般に、各階を行き来する階段の周囲に耐力壁が配置される他、部屋を仕切るための間仕切り的な機能を有する壁も、それに水平荷重及び鉛直荷重を負担させるために必要に応じて耐力壁とされている。（例えば、特許文献１参照）
【０００４】
【特許文献１】
特開平１１−０８１４４１号公報、段落〔００２５〕〜〔００６３〕
【０００５】
【発明が解決しようとする課題】
ところで、一般に耐力壁は上下階で連続する位置に配置する必要があるため、これにより、住宅構築時に間取りは制約を受けることとなる。また、近年、特に二世帯住宅等においては、各世代の要望に合わせて一度構築された住宅の間取りを後日変更したいという要望がある場合がある。しかしながら、耐力壁は容易に動かせないことから、一度構築された住宅の間取りを後日変更することは極めて困難であった。
【０００６】
本発明の課題は、構築時の間取りの制約を低減するとともに、構築後の間取りの変更を容易とする木造建物を提供することである。
【０００７】
【課題を解決するための手段】
上記課題を解決するために、請求項１に記載の発明は、例えば図１〜図４に示すように、
略四角形状の平面プランを有し、玄関（ＰＯＲＣＨ）及び水廻り（トイレ（Ｗ．Ｃ．）、ユーティリティ（ＵＴＩＬＩＴＹ）、バスルーム（ＢＡＴＨ  ＲＯＯＭ））が順次隣接して一の辺部（１０ａ）に配置され、この一の辺部（１０ａ）に対しその略中央で略垂直に交差する一の軸線（ａ−ａ）上に各階を行き来する階段（Ｋ）が配置された複数階構造の木造建物（１０）であって、
各階において、前記階段（Ｋ）の周囲のうち、少なくとも前記軸線（ａ−ａ）に沿う方向に配置される耐力壁（ＫＷ）と、
各階において、一端部が前記耐力壁（ＫＷ）に連結され、他端部が外壁（ＥＷ）又は前記玄関（ＰＯＲＣＨ）及び水廻り（トイレ（Ｗ．Ｃ．）、ユーティリティ（ＵＴＩＬＩＴＹ）、バスルーム（ＢＡＴＨ  ＲＯＯＭ））を構成する壁に連結される状態で前記軸線（ａ−ａ）に略沿う方向にそれぞれ配置される梁材（Ｇ）とを備え、
前記玄関（ＰＯＲＣＨ）及び水廻り（トイレ（Ｗ．Ｃ．）、ユーティリティ（ＵＴＩＬＩＴＹ）、バスルーム（ＢＡＴＨ  ＲＯＯＭ））を構成する壁（ＭＷ）以外で、前記耐力壁（ＫＷ）以外の内壁は、全て間仕切壁（ＰＷ）で構成されていることを特徴としている。
【０００８】
請求項１に記載の発明によれば、各階において、前記耐力壁（ＫＷ）、前記梁材（Ｇ）、前記玄関（ＰＯＲＣＨ）及び水廻り（トイレ（Ｗ．Ｃ．）、ユーティリティ（ＵＴＩＬＩＴＹ）、バスルーム（ＢＡＴＨ  ＲＯＯＭ））を構成する壁（ＭＷ）、外壁（ＥＷ）によって、前記軸線（ａ−ａ）に沿う方向の地震力等の水平荷重を負担する架構が形成される。また、玄関（ＰＯＲＣＨ）及び水廻り（トイレ（Ｗ．Ｃ．）、ユーティリティ（ＵＴＩＬＩＴＹ）、バスルーム（ＢＡＴＨ  ＲＯＯＭ））を構成する壁（ＭＷ）、外壁（ＥＷ）によって、前記軸線（ａ−ａ）に略直交する方向の地震力等の水平荷重を負担する架構が形成される。また、前記耐力壁（ＫＷ）、前記梁材（Ｇ）、前記玄関（ＰＯＲＣＨ）及び水廻り（トイレ（Ｗ．Ｃ．）、ユーティリティ（ＵＴＩＬＩＴＹ）、バスルーム（ＢＡＴＨ  ＲＯＯＭ））を構成する壁（ＭＷ）、外壁（ＥＷ）によって鉛直荷重がそれぞれ適宜負担される。
【０００９】
すなわち、前記耐力壁（ＫＷ）、前記梁材（Ｇ）、前記玄関（ＰＯＲＣＨ）及び水廻り（トイレ（Ｗ．Ｃ．）、ユーティリティ（ＵＴＩＬＩＴＹ）、バスルーム（ＢＡＴＨ  ＲＯＯＭ））を構成する壁（ＭＷ）、外壁（ＥＷ）によって、２方向の水平荷重及び鉛直荷重が全て負担される。これにより、前記玄関（ＰＯＲＣＨ）及び水廻り（トイレ（Ｗ．Ｃ．）、ユーティリティ（ＵＴＩＬＩＴＹ）、バスルーム（ＢＡＴＨ  ＲＯＯＭ））を構成する壁（ＭＷ）以外で、前記耐力壁（ＫＷ）以外の内壁を、全て間仕切壁（ＰＷ）で構成することができる。間仕切壁（ＰＷ）は、上下階で連続する位置に配置する必要がなく、配置変更も容易なので、木造建物（住宅（１０））構築時の間取りの制約を低減することができる。また、木造建物（住宅（１０））構築後においては、間取りの変更を容易に行うことができる。この際、前記梁材（Ｇ）の長さを変更しながら、前記階段（ＫＷ）を前記軸線（ａ−ａ）に沿う方向に移動することもできるため、木造建物（住宅（１０））構築後の間取りの変更をさらに容易に行うことができる。
【００１０】
前記木造建物としては、パネル工法によって構築されるものの他、在来工法によって構築されるものも含む。
【００１１】
前記木造建物の外壁は、必要に応じて耐力壁にしてもよいし、非耐力壁にしてもよい。
【００１２】
請求項２に記載の発明は、請求項１に記載の木造建物（住宅（１０））において、
パネル工法によって構築されるものであることを特徴としている。
【００１３】
請求項２に記載の発明によれば、前記木造建物（住宅（１０））の構築がパネル工法によって行われるため、工期を短縮することができる。
【００１４】
請求項３に記載の発明は、例えば図３に示すように、請求項１又は２に記載の木造建物（住宅（１０））において、
前記梁材（Ｇ）は、集成材から構成されていることを特徴としている。
【００１５】
請求項３に記載の発明によれば、前記梁材（Ｇ）は集成材から構成されているので、前記梁材（Ｇ）の耐力を向上させ、これにより、前記梁材（Ｇ）の水平荷重及び鉛直荷重の負担性能を向上させることができる。
【００１６】
前記集成材とは、木材の板又は小角材を繊維方向を長手にそろえて接着剤で重ね塗りし、角材や厚板材としたものであり、通常の木材に比べて強度的に優れる。
【００１７】
請求項４に記載の発明は、例えば図３に示すように、請求項１〜３のいずれか一項に記載の木造建物（住宅（１０））において、
前記梁材（Ｇ）は、その側面が互いに隣接する状態で複数配置されていることを特徴としている。
【００１８】
請求項４に記載の発明によれば、前記梁材（Ｇ）は、その側面が互いに隣接する状態で複数配置されているので、前記梁材（Ｇ）の水平荷重及び鉛直荷重の負担性能をさらに向上させることができる。
【００１９】
請求項５に記載の発明は、例えば図３に示すように、請求項１〜４のいずれか一項に記載の木造建物（住宅（１０））において、
前記梁材（Ｇ）の前記耐力壁（ＫＷ）に対する連結は、梁受金物（Ｍ）を介してなされていることを特徴としている。
【００２０】
請求項５に記載の発明によれば、前記梁材（Ｇ）の前記耐力壁（ＫＷ）に対する連結は、梁受金物（Ｍ）を介してなされているので、前記梁材（Ｇ）と前記耐力壁（ＫＷ）との連結を強固とし、これにより、前記梁材（Ｇ）の水平荷重及び鉛直荷重の負担性能をさらに向上させることができる。
【００２１】
【発明の実施の形態】
以下、図１〜図４を参照して、本発明である木造建物の実施形態について詳細に説明する。
【００２２】
本発明に係る住宅（１０）（木造建物）は、例えば図１、図２に示すように、パネル工法によって構築される２階建構造のものであり、１階、２階とも略四角形状の平面プランを有する。
【００２３】
住宅（１０）において、１階には、外周部に外壁（ＥＷ）が配置されるとともに、玄関（ＰＯＲＣＨ）、トイレ（Ｗ．Ｃ．）、ユーティリティ（ＵＴＩＬＩＴＹ）、バスルーム（ＢＡＴＨ  ＲＯＯＭ）（水廻り）が順次隣接して平面プランの一の辺部１０ａに配置され、この一の辺部１０ａに対しその略中央で略垂直に交差する一の軸線（ａ−ａ）上に各階を行き来する階段（Ｋ）が配置されている。なお、１階の外壁（ＥＷ）は、必要に応じて耐力壁にしてもよいし、非耐力壁にしてもよい。
【００２４】
２階には、外周部に外壁（ＥＷ）が配置されるとともに、１階の玄関（ＰＯＲＣＨ）、トイレ（Ｗ．Ｃ．）、ユーティリティ（ＵＴＩＬＩＴＹ）、バスルーム（ＢＡＴＨ  ＲＯＯＭ）の上部となる位置に、バルコニ（ＢＡＬＣＯＮＹ）が配置されている。なお、２階の外壁（ＥＷ）は、必要に応じて耐力壁にしてもよいし、非耐力壁にしてもよい。
【００２５】
各階において、階段（Ｋ）の周囲のうち、軸線（ａ−ａ）に沿う方向には耐力壁（ＫＷ）が配置されている。また、各階において、軸線（ａ−ａ）に略沿う方向に辺部までそれぞれ配置される梁材（Ｇ）が耐力壁（ＫＷ）に対しそれぞれ連結されている。
【００２６】
梁材（Ｇ）は集成材から構成されており、図３に示すように、その側面が互いに隣接する状態で複数配置されている。さらに梁材（Ｇ）の耐力壁（ＫＷ）に対する連結は、梁受金物（Ｍ）を介してなされている。梁受金物Ｍは、取付面Ｍ１、載置面Ｍ２、当接面Ｍ３をそれぞれ有して、図３（ｂ）に示す形状に形成され、梁受金物Ｍを介した連結は、以下のようにして行われている。すなわち、互いに対向する位置の耐力壁（ＫＷ）は、その上端部で小梁（Ｂ）によって連結されており、この小梁（Ｂ）の側面に対して、梁受金物（Ｍ）の取付面Ｍ１が釘等によって固定され、梁（Ｇ）の下面は梁受金物（Ｍ）の載置面Ｍ２に釘等によって固定され、梁（Ｇ）の側面は梁受金物（Ｍ）の当接面Ｍ３に釘等によって固定されている。なお、梁（Ｇ）の耐力壁（ＫＷ）に対する固定は、梁（Ｇ）から小梁（Ｂ）を貫通して耐力壁（ＫＷ）に貫入する釘によってもなされている。このように梁（Ｇ）が耐力壁（ＫＷ）に対して直接固定されているので、梁材（Ｇ）の水平荷重及び鉛直荷重の負担性能が向上している。
【００２７】
以上のような構成により、耐力壁（ＫＷ）、梁材（Ｇ）、玄関（ＰＯＲＣＨ）及びトイレ（Ｗ．Ｃ．）、ユーティリティ（ＵＴＩＬＩＴＹ）、バスルーム（ＢＡＴＨ  ＲＯＯＭ）を構成する壁（ＭＷ）、外壁（ＥＷ）によって、軸線（ａ−ａ）に沿う方向の地震力等の水平荷重を負担する架構が形成されている。
【００２８】
また、玄関（ＰＯＲＣＨ）及びトイレ（Ｗ．Ｃ．）、ユーティリティ（ＵＴＩＬＩＴＹ）、バスルーム（ＢＡＴＨ  ＲＯＯＭ）を構成する壁（ＭＷ）、外壁（ＥＷ）によって、軸線（ａ−ａ）に略直交する方向の地震力等の水平荷重を負担する架構が形成されている。
【００２９】
さらに、耐力壁（ＫＷ）、梁材（Ｇ）、玄関（ＰＯＲＣＨ）及びトイレ（Ｗ．Ｃ．）、ユーティリティ（ＵＴＩＬＩＴＹ）、バスルーム（ＢＡＴＨ  ＲＯＯＭ）を構成する壁（ＭＷ）、外壁（ＥＷ）によって鉛直荷重がそれぞれ適宜負担されている。
【００３０】
そして、各階において、玄関（ＰＯＲＣＨ）及びトイレ（Ｗ．Ｃ．）、ユーティリティ（ＵＴＩＬＩＴＹ）、バスルーム（ＢＡＴＨ  ＲＯＯＭ）を構成する壁（ＭＷ）以外で、耐力壁（ＫＷ）以外の内壁は、全て間仕切壁（ＰＷ）で構成されている。
【００３１】
間仕切壁（ＰＷ）は、比較的配置変更が容易なので、図４に示すように、住宅（１０）構築時の間取りの制約を低減することができる。また、住宅（１０）構築後においては、間取りの変更を容易に行うことができる。
【００３２】
さらに、この際、図４に示すように、梁材（Ｇ）の長さを変更して、階段（ＫＷ）を軸線（ａ−ａ）（図４には図示していない。図２参照。）に沿う方向に移動することもできるため、よりバリエーションに富んだ間取りの変更を行うことができる。この場合、梁材（Ｇ）は、一端部が耐力壁の上端部に連結され、他端部が住宅（１０）の壁の上端部に連結されるようにすればよい。すなわち、図４において梁材（Ｇ）は図示していないが、図４（ａ）、図４（ｄ）には、２本の梁材（Ｇ）がそれぞれ配置され、図４（ｂ）、図４（ｃ）、図４（ｅ）には、４本の梁材（Ｇ）がそれぞれ配置されている。階段（Ｋ）の移動を伴う間取りの変更を行う際には、１階から支保工等によって２階の床の荷重を支持させ、この状態で階段（Ｋ）を新たな位置に移動後、前記したように梁材（Ｇ）を配置し、最後に支保工の撤去を行えばよい。なお、図４において、ＣＬＯＳＥＴはクローゼット、Ｂ．Ｒ．はベッドルーム、Ｍ．Ｂ．Ｒ．はメインベッドルーム、Ｌ．Ｄ．Ｋはリビングダイニングキッチン、ＤＥＮは書斎、ＪＡＰＡＮＥＳＥは和室、ＧＵＥＳＴは応接室をそれぞれ示す。
【００３３】
本実施の形態によれば、以下のような効果を得ることができる。
［１］各階において、耐力壁（ＫＷ）、梁材（Ｇ）、玄関（ＰＯＲＣＨ）及び水廻り（トイレ（Ｗ．Ｃ．）、ユーティリティ（ＵＴＩＬＩＴＹ）、バスルーム（ＢＡＴＨ  ＲＯＯＭ））を構成する壁（ＭＷ）の一部、外壁（ＥＷ）の一部、によって、軸線（ａ−ａ）に沿う方向の地震力等の水平荷重を負担する架構が形成される。また、玄関（ＰＯＲＣＨ）及び水廻り（トイレ（Ｗ．Ｃ．）、ユーティリティ（ＵＴＩＬＩＴＹ）、バスルーム（ＢＡＴＨ  ＲＯＯＭ））を構成する壁（ＭＷ）の一部、外壁（ＥＷ）の一部、によって、軸線（ａ−ａ）に略直交する方向の地震力等の水平荷重を負担する架構が形成される。また、耐力壁（ＫＷ）、梁材（Ｇ）、玄関（ＰＯＲＣＨ）及び水廻り（トイレ（Ｗ．Ｃ．）、ユーティリティ（ＵＴＩＬＩＴＹ）、バスルーム（ＢＡＴＨ  ＲＯＯＭ））を構成する壁（ＭＷ）、外壁（ＥＷ）によって鉛直荷重がそれぞれ適宜負担される。
【００３４】
すなわち、耐力壁（ＫＷ）、梁材（Ｇ）、玄関（ＰＯＲＣＨ）及び水廻り（トイレ（Ｗ．Ｃ．）、ユーティリティ（ＵＴＩＬＩＴＹ）、バスルーム（ＢＡＴＨＲＯＯＭ））を構成する壁（ＭＷ）、外壁（ＥＷ）によって、２方向の水平荷重及び鉛直荷重が全て負担される。これにより、玄関（ＰＯＲＣＨ）及び水廻り（トイレ（Ｗ．Ｃ．）、ユーティリティ（ＵＴＩＬＩＴＹ）、バスルーム（ＢＡＴＨ  ＲＯＯＭ））を構成する壁（ＭＷ）以外で、耐力壁（ＫＷ）以外の内壁を、全て間仕切壁（ＰＷ）で構成することができる。間仕切壁（ＰＷ）は、上下階で連続する位置に配置する必要がなく、配置変更も容易なので、住宅（１０）構築時の間取りの制約を低減することができる。また、住宅（１０）構築後においては、間取りの変更を容易に行うことができる。この際、梁材（Ｇ）の長さを変更しながら、階段（ＫＷ）を軸線（ａ−ａ）に沿う方向に移動することもできるため、住宅（１０）構築後の間取りの変更をさらに容易に行うことができる。
【００３５】
［２］住宅（１０）の構築がパネル工法によって行われるため、工期を短縮することができる。
【００３６】
［３］梁材（Ｇ）は集成材から構成され、その側面が互いに隣接する状態で複数配置され、さらに梁材（Ｇ）の耐力壁（ＫＷ）に対する連結が、梁受金物（Ｍ）を介してなされているので、梁材（Ｇ）の水平荷重及び鉛直荷重の負担性能を向上させることができる。
【００３７】
なお、本発明は、前記した各実施の形態に限定されるものではなく、本発明の趣旨を逸脱しない範囲で様々な改変が可能である。
【００３８】
【発明の効果】
請求項１に記載の発明によれば、各階において、前記耐力壁、前記梁材、前記玄関及び水廻りを構成する壁、外壁によって、前記軸線に沿う方向の地震力等の水平荷重を負担する架構が形成される。また、玄関及び水廻りを構成する壁、外壁によって、前記軸線に略直交する方向の地震力等の水平荷重を負担する架構が形成される。また、前記耐力壁、前記梁材、前記玄関及び水廻り、ユーティリティ、バスルームを構成する壁、外壁によって鉛直荷重がそれぞれ適宜負担される。
【００３９】
すなわち、前記耐力壁、前記梁材、前記玄関及び水廻りを構成する壁、外壁によって、２方向の水平荷重及び鉛直荷重が全て負担される。これにより、前記玄関及び水廻りを構成する壁以外で、前記耐力壁以外の内壁を、全て間仕切壁で構成することができる。間仕切壁は、上下階で連続する位置に配置する必要がなく、配置変更も容易なので、木造建物構築時の間取りの制約を低減することができる。また、木造建物構築後においては、間取りの変更を容易に行うことができる。この際、前記梁材の長さを変更しながら、前記階段を前記軸線に沿う方向に移動することもできるため、木造建物構築後の間取りの変更をさらに容易に行うことができる。
【００４０】
請求項２に記載の発明によれば、請求項１に記載の発明と同様の効果が得られることは勿論のこと、前記木造建物の構築がパネル工法によって行われるため、工期を短縮することができる。
【００４１】
請求項３に記載の発明によれば、請求項１又は２に記載の発明と同様の効果が得られることは勿論のこと、前記梁材は集成材から構成されているので、前記梁材の耐力を向上させ、これにより、前記梁材の水平荷重及び鉛直荷重の負担性能を向上させることができる。
【００４２】
請求項４に記載の発明によれば、請求項１〜３のいずれか一項に記載の発明と同様の効果が得られることは勿論のこと、前記梁材は、その側面が互いに隣接する状態で複数配置されているので、前記梁材の水平荷重及び鉛直荷重の負担性能をさらに向上させることができる。
【００４３】
請求項５に記載の発明によれば、請求項１〜４のいずれか一項に記載の発明と同様の効果が得られることは勿論のこと、前記梁材の前記耐力壁に対する連結は、梁受金物を介してなされているので、前記梁材と前記耐力壁との連結を強固とし、これにより、前記梁材の水平荷重及び鉛直荷重の負担性能をさらに向上させることができる。
【００４４】
【図面の簡単な説明】
【図１】本発明に係る住宅を示す、一部透視された斜視図である。
【図２】本発明に係る住宅の、（ａ）は模式的な２階平面図であり、（ｂ）は模式的な１階平面図である。
【図３】（ａ）は、本発明に係る集成材梁の階段耐力壁に対して梁受金物を介して連結されている状況を示す斜視図であり、（ｂ）は、梁受金物を示す斜視図である。
【図４】（ａ）〜（ｅ）ともに、間仕切壁で区切ることで形成された本発明に係る住宅の間取りの一例を示す模式的な平面図である。
【符号の説明】
１０                住宅（木造建物）
１０ａ              一の辺部
ＰＯＲＣＨ          玄関
Ｗ．Ｃ．            トイレ（水廻り）
ＵＴＩＬＩＴＹ      ユーティリティ（水廻り）
ＢＡＴＨ  ＲＯＯＭ  バスルーム（水廻り）
ＫＷ                階段の周囲に配置される耐力壁
ＭＷ                玄関及び水廻りを構成する壁
ＰＷ                間仕切壁
Ｇ                  梁材
Ｍ                  梁受金物
【図１】
2004263510.tif 000003
【図２】
2004263510.tif 000004
【図３】
2004263510.tif 000005
【図４】
2004263510.tif 000006